(57)【要約】【課題】  フッ素系不活性液体の特性を利用し、光合成手段に対する液晶パネルの取り付け精度に優れた液晶プロジェクタとその液冷装置を提供する。【解決手段】  光源１１２からの光を、Ｒ、Ｇ及びＢの板状に形成された液晶パネル１０１（Ｒ）、１０１（Ｇ）、１０１（Ｂ）を透過してその強度を変調し、当該強度を変調した光を合成プリズム１１９により合成した後、投射レンズ１２７により投射して映像を得る液晶プロジェクタにおいて、固定部材２００を利用して液晶パネル１０１（Ｒ）、１０１（Ｇ）、１０１（Ｂ）を光合成プリズム１１９に対して精度よく位置決めし、これを透明な部材で形成した冷媒容器（ケース）１０２の内部に配置する。この冷媒容器（ケース）１０２には、フッ素系不活性液体からなる冷媒Ｃを充填し、板状液晶パネルと光合成手段とを浸漬すると共に、冷媒容器内に充填した前記冷媒を、電動ポンプ１２９により、ラジエータ１３０を含む液冷サイクル内で循環する。【選択図】      図１
2006106250.tif 000002
【特許請求の範囲】
【請求項１】
光源と、前記光源からの光を平行光として三本の光に分割する光学素子と、前記光学素子により分割された３本の光を透過してその強度を変調する三種類の板状に形成された液晶パネルと、前記三種類の板状液晶パネルを透過してその強度を変調した三本の光を合成する光合成手段と、前記光合成手段により合成された三本の光を投射するための投射手段と共に、前記三種類の板状液晶パネル内に液体冷媒を循環して冷却する電動ポンプ及びラジエータを含む液冷サイクルを備えた液晶プロジェクタにおいて、前記液冷サイクルは、少なくとも光路を形成する部分を透明な部材で形成した冷媒容器内にフッ素系不活性液体からなる冷媒を充填し、かつ、当該充填した冷媒中に前記三種類の板状液晶パネル及び前記光合成手段とを浸漬すると共に、前記冷媒容器内に充填した前記冷媒を、前記電動ポンプにより、前記ラジエータを含む液冷サイクル内で循環することを特徴とする液晶プロジェクタ。
【請求項２】
前記請求項１に記載した液晶プロジェクタにおいて、前記光合成手段は立方形状の光合成プリズムから構成されており、かつ、前記三種類の板状液晶パネルは、前記冷媒容器内において、前記光合成プリズムの三面に対して所定の位置に位置決めする固定手段により固定されていることを特徴とする液晶プロジェクタ。
【請求項３】
前記請求項１に記載した液晶プロジェクタにおいて、前記冷媒容器の内部には、前記三種類の板状液晶パネルの電極を外部に接続するためのコネクタ部を設けたことを特徴とする液晶プロジェクタ。
【請求項４】
前記請求項１に記載した液晶プロジェクタにおいて、前記冷媒容器の光路を形成する透明部分に光学素子を一体に形成したことを特徴とする液晶プロジェクタ。
【請求項５】
前記請求項１に記載した液晶プロジェクタにおいて、前記光合成手段を立方形状の光合成プリズムから構成すると共に、前記冷媒容器の光路を形成する透明部分を前記光合成プリズムと一体に形成したことを特徴とする液晶プロジェクタ。
【請求項６】
前記請求項１に記載した液晶プロジェクタにおいて、前記液冷サイクルは、その一部に、更に、内部に前記フッ素系不活性液体からなる冷媒を貯留するタンクを備えていることを特徴とする液晶プロジェクタ。
【請求項７】
光源からの光を、三種類の板状に形成された液晶パネルを透過してその強度を変調し、当該強度を変調した光を光合成手段により合成し、当該合成した光をスクリーン上に投射して映像を得る液晶プロジェクタにおいて、前記三種類の板状液晶パネルを冷却するための冷却装置であって、液体冷媒を循環するための電動ポンプと、前記電動ポンプによって循環される液体冷媒を冷却するラジエータとを備えており、更に、少なくとも光路を形成する部分を透明な部材で形成した冷媒容器内にフッ素系不活性液体からなる冷媒を充填し、かつ、当該充填した冷媒中に前記三種類の板状液晶パネル及び前記光合成手段とを浸漬すると共に、前記冷媒容器内に充填した前記冷媒を、前記電動ポンプにより、前記ラジエータを含む液冷サイクル内で循環することを特徴とする液晶プロジェクタの冷却装置。
【請求項８】
前記請求項７に記載した冷却装置において、前記光合成手段は立方形状の光合成プリズムから構成されており、かつ、前記三種類の板状液晶パネルは、前記冷媒容器内において、前記光合成プリズムの三面に対して所定の位置に位置決めする固定手段により固定されていることを特徴とする液晶プロジェクタの冷却装置。
【請求項９】
前記請求項７に記載した冷却装置において、前記冷媒容器の内部には、前記三種類の板状液晶パネルの電極を外部に接続するためのコネクタ部を設けたことを特徴とする液晶プロジェクタの冷却装置。
【請求項１０】
前記請求項７に記載した冷却装置において、前記冷媒容器の光路を形成する透明部分に光学素子を一体に形成したことを特徴とする液晶プロジェクタの冷却装置。
【請求項１１】
前記請求項７に記載した冷却装置において、前記光合成手段を立方形状の光合成プリズムから構成すると共に、前記冷媒容器の光路を形成する透明部分を前記光合成プリズムと一体に形成したことを特徴とする液晶プロジェクタの冷却装置。
【請求項１２】
前記請求項６に記載した冷却装置において、前記液冷サイクルは、その一部に、更に、内部に前記フッ素系不活性液体からなる冷媒を貯留するタンクを備えていることを特徴とする液晶プロジェクタの冷却装置。
【発明の詳細な説明】
【技術分野】
【０００１】
本発明は、光源からの光をライトバルブと呼ばれる液晶パネルや投射レンズを介して映像をスクリーン上に投射する液晶プロジェクタ、更には、かかる液晶プロジェクタにおいて液晶パネルを液体冷媒によって冷却する液冷装置に関し、特に、光透過性に優れ、不活性で発泡が少なく、かつ、電気絶縁性をも兼ね備えたフッ素系不活性液体を利用した液晶プロジェクタとその液冷装置に関する。
【背景技術】
【０００２】
近年、例えば、パーソナルコンピュータ上のカラー映像画面等を拡大・投射して表示するための投射装置（以下、単に「プロジェクタ」とも称する）では、メタルハライドランプなどの光源から得られる光を３方向に分解し、それぞれ、Ｒ、Ｇ又はＢの３原色用の液晶パネルを介してその光強度を変調してこれらを色合成プリズムなどによって合成した後、投射レンズなどを介してスクリーン上に投射する装置が、広く、実用化されてきている。
【０００３】
なお、かかる液晶プロジェクタでは、高精細化と共に、表示画面の大型化などに伴って、その発光源であるランプの高照度化（例えば、２５０Ｗ、又は、それ以上の電力のメタハライドランプを採用）が図られており、そのため、かかる高照度の発光源からの熱、更には、上記発光源からの強い光による液晶パネルの発熱が、液晶パネルの特性にも悪影響を与える。そこで、従来、かかるプロジェクタでは、一般に、上記液晶パネルを含む装置の各部（特に、ランプや制御部など）における温度上昇を防止してその悪影響を防止するため、空冷用のファンを備え、これにより、装置の外部から筐体内部に冷却風を導入・循環することが行われていた。
【０００４】
しかしながら、上述したように、近年における発光源からの光強度の上昇に伴い、上述した空冷ファンによる冷却風の装置内部への導入や循環だけでは、液晶パネルにおける発熱を十分に抑制することは困難となっており、そこで、下記の特許文献１〜１５にも開示されるように、例えば、偏光板とこれに対向するガラスパネルとでその内部に空間を形成すると共に、その空間内部に水などの液体冷媒を封止し、前記封入した液体冷媒を空間内部で循環させ、もって、例えば、水などの液体冷媒を利用して、液晶パネルの温度上昇を抑制して温度上昇による悪影響から保護するものが提案されている。
【０００５】
また、その中でも、例えば、特許文献１や特許文献７などによれば、上記の水などの液体冷媒に代え、フロリナート（住友３Ｍ社の商標）に代表されるフッ素系不活性液体（パーフルオロカーボン）を利用するものも既に知られており、具体的には、扁平な密閉ガラス容器内にフロリナートを封入してヒートポンプを構成し、偏光パネル、偏光板に接触させる。
【０００６】
加えて、以下の特許文献１６〜１９にも知られるように、上記Ｒ、Ｇ及びＢの３原色用の液晶パネルに液体冷媒の流路を形成すると共に、その外部に熱交換器を設け、更に、循環ポンプを利用して液体冷媒を循環する冷却サイクルを構成し、水などの液体冷媒をこの冷却サイクル内で循環させることにより、上記液晶パネルにおいて、より効率の高い冷却を実現するものも、既に、知られている。なお、特に、上記特許文献１７は、液体冷媒の循環路の一部に気泡室を備えたプロジェクタを開示している。
【０００７】
【特許文献１】特開平３−１２６０１１号公報
【特許文献２】特開平４−５４７７８号公報
【特許文献３】特開平４−７３７３３号公報
【特許文献４】特開平４−２９１２３０号公報
【特許文献５】特開平５−１０７５１９号公報
【特許文献６】特開平５−２３２４２７号公報
【特許文献７】特開平６−１１００４０号公報
【特許文献８】特開平７−２４８４８０号公報
【特許文献９】特開平８−２１１３５３号公報
【特許文献１０】特開平１１−２０２４１１号公報
【特許文献１１】特開２００２−１３１７３７号公報
【特許文献１２】特開２００２−２１４５９６号公報
【特許文献１３】特開２００３−７５９１８号公報
【特許文献１４】特開２００３−１９５１３５号公報
【特許文献１５】特開２００４−１２９３４号公報
【特許文献１６】特開平１−１５９６８４号公報
【特許文献１７】特開平５−２１６０１６号公報
【特許文献１８】特開平５−２６４９４７号公報
【特許文献１９】特開平１１−２８２３６１号公報
【発明の開示】
【発明が解決しようとする課題】
【０００８】
以上にも詳述したように、従来のプロジェクタにおいては、特に、近年における光源強度（明るさ）の著しい上昇に伴って、従来の空冷ファンによる冷却風の導入・循環に代え、より効率の高い冷却を実現するため、液晶パネルの一部に液体冷媒を接触させてこれをその内部で循環して冷却する方式が採用されている。更には、その液体冷媒としても、水だけではなく、透過性に優れ、また、不活性で発泡が少ないことから、フロリナートに代表されるフッ素系不活性液体を利用するものも、既に知られている。
【０００９】
しかしながら、フッ素系不活性液体は、その熱量において、水に比較して僅かに劣っており、そのため、上記に従来技術においては、特に、液体冷媒としてフッ素系不活性液体を利用するものでは、十分な液晶パネルの冷却効果を得ることが出来なかった。また、上記従来技術では、上記フロリナートに代表されるフッ素系不活性液体の特性である、即ち、透過性に優れて、また、不活性で発泡が少ないことを利用するものではあるが、しかしながら、かかるフッ素系不活性液体が有する他の重要な特性である、優れた電気絶縁性については、これを有効に利用するものではなかった。
【００１０】
加えて、光源からの光を、三種類の液晶パネルを透過してその強度を変調し、強度を変調した光を、例えば、ダイクロイック・プリズム等の光合成手段により合成し、その光をスクリーン上に投射して映像を得る液晶プロジェクタにおいては、その製造の過程においては、特に、このダイクロイック・プリズムの入射面に対する上記三種類の液晶パネルの取り付け位置や精度が重要となる。しかしながら、上述した従来技術になる液晶パネルの一部に液体冷媒の流路を形成する構造では、一旦、これら三種類の液晶パネルをダイクロイック・プリズムに対して位置決めを行って固定した後、これら液晶パネルに冷媒液を供給するための配管を施す必要があり、その際に加えられた力により、折角、行った液晶パネルの位置が移動してしまうなどの問題点があった。
【００１１】
そこで、本発明では、上記に詳述した従来技術における問題点に鑑みて、即ち、上記フロリナートに代表されるフッ素系不活性液体の特性を十分に利用すると共に、水に比較して熱量に劣るフッ素系不活性液体を利用しても十分な液晶パネルの冷却効果が得られ、かつ、その製造工程においても、ダイクロイック・プリズム等の光合成手段に対する上記三種類の液晶パネルの取り付け位置や精度に悪影響を及ぼすことなく、良好な投射性能を得ることが可能な液晶プロジェクタと、そして、そのための液冷装置を提供することをその目的とする。
【課題を解決するための手段】
【００１２】
なお、本発明によれば、かかる上記の目的を達成するため、まず、光源と、前記光源からの光を平行光として三本の光に分割する光学素子と、前記光学素子により分割された３本の光を透過してその強度を変調する三種類の板状に形成された液晶パネルと、前記三種類の板状液晶パネルを透過してその強度を変調した三本の光を合成する光合成手段と、前記光合成手段により合成された三本の光を投射するための投射手段と共に、前記三種類の板状液晶パネル内に液体冷媒を循環して冷却する電動ポンプ及びラジエータを含む液冷サイクルを備えた液晶プロジェクタにおいて、前記液冷サイクルは、少なくとも光路を形成する部分を透明な部材で形成した冷媒容器内にフッ素系不活性液体からなる冷媒を充填し、かつ、当該充填した冷媒中に前記三種類の板状液晶パネル及び前記光合成手段とを浸漬すると共に、前記冷媒容器内に充填した前記冷媒を、前記電動ポンプにより、前記ラジエータを含む液冷サイクル内で循環する液晶プロジェクタが提供される。
【００１３】
また、本発明によれば、やはりかかる上記の目的を達成するため、光源からの光を、三種類の板状に形成された液晶パネルを透過してその強度を変調し、当該強度を変調した光を光合成手段により合成し、当該合成した光をスクリーン上に投射して映像を得る液晶プロジェクタにおいて、前記三種類の板状液晶パネルを冷却するための冷却装置であって、液体冷媒を循環するための電動ポンプと、前記電動ポンプによって循環される液体冷媒を冷却するラジエータとを備えており、更に、少なくとも光路を形成する部分を透明な部材で形成した冷媒容器内にフッ素系不活性液体からなる冷媒を充填し、かつ、当該充填した冷媒中に前記三種類の板状液晶パネル及び前記光合成手段とを浸漬すると共に、前記冷媒容器内に充填した前記冷媒を、前記電動ポンプにより、前記ラジエータを含む液冷サイクル内で循環する液晶プロジェクタの冷却装置が提供される。
【００１４】
なお、本発明によれば、前記に記載した液晶プロジェクタ、又は、液晶プロジェクタの冷却装置において、前記光合成手段は立方形状の光合成プリズムから構成されており、かつ、前記三種類の板状液晶パネルは、前記冷媒容器内において、前記光合成プリズムの三面に対して所定の位置に位置決めする固定手段により固定されていることが好ましく、或いは、前記冷媒容器の内部には、前記三種類の板状液晶パネルの電極を外部に接続するためのコネクタ部を設けることが好ましい。
【００１５】
加えて、本発明によれば、前記に記載した液晶プロジェクタにおいて、前記冷媒容器の光路を形成する透明部分に光学素子を一体に形成することが好ましく、或いは、前記光合成手段を立方形状の光合成プリズムから構成すると共に、前記冷媒容器の光路を形成する透明部分を前記光合成プリズムと一体に形成することが好ましい。更に、前記液冷サイクルは、その一部に、更に、内部に前記フッ素系不活性液体からなる冷媒を貯留するタンクを備えてもよい。
【発明の効果】
【００１６】
以上からも明らかなように、本発明になる液晶プロジェクタ、更には、その液冷装置によれば、上記フロリナートに代表されるフッ素系不活性液体の特性を十分に利用し、その製造工程においても、ダイクロイック・プリズム等の光合成手段に対する上記三種類の液晶パネルの取り付け位置や精度に悪影響を及ぼすことなく、かつ、かかるフッ素系不活性液体を利用しても十分な液晶パネルの冷却効果が得られ、もって、良好な投射性能を得ることが可能な液晶プロジェクタとその液冷装置を提供することが可能になるという優れた効果を発揮する。
【発明を実施するための最良の形態】
【００１７】
以下、本発明の実施の形態について、添付の図面を参照しながら説明する。
【００１８】
まず、図８には、本発明の一実施の形態になる液晶パネルの液冷装置を備えた、液晶プロジェクタの全体構造の概略が示されている。図において、符号１００は、液晶プロジェクタの筐体を示しており、また、図からも明らかなように、その内部には、発光源である、例えば、メタルハライド・ランプ１１２が設けられている。そして、この発光源１１２からの光は、やはり、上記の筐体内の所定の位置に配置された第１レンズ・アレイ１１３、第２レンズ・アレイ１１４、偏光変換素子１１５、集光レンズ１１６により平行な光にされて出力される。この平行光は、その後、第１のダイクロイック・ミラー１１７に導かれ、その一部はこれを透過し、光学素子である第１のコンデンサ・レンズ１１８を通してＲ（赤）用の液晶パネル１０１（Ｒ）に導かれ、そこで光強度が変調され、その後、光合成プリズム（ダイクロイック・プリズム）１１９に到る。
【００１９】
一方、上記第１のダイクロイック・ミラー１１７で反射された光は、第１の反射鏡１２０の表面で反射され、第２のダイクロイック・ミラー１２１に入射する。ここで反射された光は、光学素子である第２のコンデンサ・レンズ１２２を通してＧ（緑）用の液晶パネル１０１（Ｇ）に導かれ、そこで光強度が変調された後、上記光合成プリズム１１９に到る。さらに、上記第２の第クロイック・ミラー１２１を透過した光は、第２の反射鏡１２３、リレー・レンズ１２４を通って第３の反射鏡１２５の表面で反射され、やはり光学素子を構成する第３のコンデンサ・レンズ１２６を通してＢ（青）用の液晶パネル１０１（Ｂ）に導かれ、そこで光強度が変調され、上記光合成プリズム１１９に到る。そして、上記３原色であるＲ、Ｇ、Ｂ用の液晶パネル１０１（Ｒ）、１０１（Ｇ）、１０１（Ｂ）でその光強度がそれぞれ変調された光は、上記光合成プリズム１１９によって合成され、更に、投射レンズを含む投射光学系１２７によって拡大されて、例えば、図示しないスクリーン上に投射される（図中の細い矢印を参照）。
【００２０】
また、図中の符号１３１は、その内部にファン及びそれを回転駆動するモータを含む冷却ファンユニットを示しており、図中に白抜きの矢印で示すように、上記液晶プロジェクタの筐体１００の一部に開口された空気吸込口１３４を介して外部の空気を筐体内に取り込み、後に説明する放熱（ラジエータ）ユニット１３０や電気部品ユニット１２８を冷却する。さらに、取り込まれた空気は、上述したように、近年における表示画面の大型化などに伴い、高照度化が著しく、そのため、発熱が問題となってきている高照度発光源であるメタルハライド・ランプからなる発光源１１２、更には、この発光源１１２に近接して配置される第１レンズ・アレイ１１３、第２レンズ・アレイ１１４、偏光変換素子１１５、集光レンズ１１６をも冷却した後、上記筐体１００の一部に開口された空気排出口１３５を介して外部へ排出される。
【００２１】
そして、上記３原色であるＲ、Ｇ、Ｂ用の液晶パネル１０１（Ｒ）、１０１（Ｇ）、１０１（Ｂ）は、それぞれ、以下に詳細にその構造を説明するが、その光路を形成する壁面を透明な部材で形成した冷媒容器（ケース）１０２内に充填した冷媒中に、上記光合成プリズム１１９と共に、浸漬されている。なお、ここで、液体冷媒としては、光透過性に優れ、不活性で発泡が少なく、電気絶縁性をも兼ね備えた、例えば、フロリナート（住友３Ｍ社の商標）などに代表されるフッ素系不活性液体（パーフルオロカーボン）を採用している。そして、上記冷媒容器（ケース）１０２内に充填された液体冷媒は、上記液晶プロジェクタの筐体１００の内部に設けられた電動ポンプ１２９の働きにより、図中の黒の太い矢印で示すように、筐体内に這い回された配管１３２を介して、電動ポンプ１２９、放熱ユニット１３０、更には、必要に応じて設けられ、その内部に液体冷媒を貯留するタンク１５０（図１を参照）に循環され、もって、所謂、液冷サイクルを形成している。
【００２２】
次に、添付の図１には、上記図８にその全体構造を示した液晶プロジェクタのうち、特に、上述した液冷サイクルを構成する要素を中心として取り出して示している。なお、この図では、上記冷媒容器（ケース）１０２はその上面断面により示されている。
【００２３】
この冷媒容器（ケース）１０２は、少なくとも光路を構成する壁面を、例えば、ガラスや透明な樹脂により立方形状に形成されており、図からも明らかなように、その内部には、上述したフッ素系不活性液体が液体冷媒Ｃとして充填されている。更には、上述した液晶パネル１０１（Ｒ）、１０１（Ｇ）、１０１（Ｂ）が、三本に分割された光路に沿って、上記光合成プリズム１１９の３つの入射面に配置されている。なお、図にも明らかなように、これら液晶パネル１０１は、その表面に多数のトランジスタ駆動素子が形成された、例えば、ガラスからなるＴＦＴ基板と、このＴＦＴ基板に対向して、やはりガラスからなる対向基板１が配置し、そして、これらの透明基板の間には液晶を封入し、もって、Ｒ、Ｇ又はＢの三原色の一つとなる液晶パネルを構成する液晶部１０ａと、その前後に配置された、即ち、入射側偏光板１０ｂと出射側偏光板１０ｃとから構成されている。また、図中の符号１１８、１２２、１２６は、上記図８にも示した光学素子である、第１、第２及び第３のコンデンサ・レンズを示している。
【００２４】
なお、この図１に示す実施の形態では、図にも示すように、上記冷媒容器（ケース）１０２をその一部として構成する液冷サイクルは、上記の電動ポンプ１２９、放熱ユニット１３０、冷媒タンク１５０と共に、更に、その一部にフィルタ１３５を含んで構成されている。
【００２５】
続いて、添付の図２には、上述した冷媒容器（ケース）１０２の外観が示されている。なお、この図からも明らかなように、冷媒容器（ケース）１０２の内部空間には、以下にも説明するが、その内部に上記液晶パネル１０１（Ｒ）、１０１（Ｇ）、１０１（Ｂ）を取り付けた後にその電極を容器の外部に電気的に取り出すためのコネクタ１０３そしてフレキシブル配線板１０４が、３つの光の入射面１０５、１０６、１０７の下部に取り付けられている。なお、上記にも述べたが、この冷媒容器（ケース）１０２は、上記３つの光の入射面１０５、１０６、１０７に加え、上記光合成プリズム１１９からの出射光の光路を構成する壁面１０８も含め、例えば、ガラスや透明な樹脂により構成されている。また、この図では、上記第１、第２及び第３のコンデンサ・レンズ１１８、１２２、１２６が、それぞれ、上記３つの光の入射面１０４、１０５、１０６上に、例えば、接着されて、固定されている。また、この図２の例では、上記の液冷サイクルは、上記の冷媒タンク１５０を除き、この冷媒容器（ケース）１０２、電動ポンプ１２９、放熱ユニット１３０、そして、その一部にフィルタ１３５を含んで構成されている。
【００２６】
次に、添付の図３には、上述した冷媒容器（ケース）１０２の内部に配置して固定される上記３枚の液晶パネル１０１（Ｒ）、１０１（Ｇ）、１０１（Ｂ）と上記光合成プリズム１１９との取り付け構造が示されている。なお、上述したように、三本の光を合成してスクリーン上に投射して画像を得る液晶プロジェクタにおいては、光源からの光を透過してその強度を変調する上記３枚の液晶パネル１０１（Ｒ）、１０１（Ｇ）、１０１（Ｂ）は、その後に強度を変調した光を合成するための光合成手段であるダイクロイック・プリズム（即ち、上記光合成プリズム１１９）の３つの入射面１１９−１、１１９−２、１１９−３に対し、所定の位置に高い精度で位置決めされて固定されることが要求される。
【００２７】
そこで、本実施の形態では、例えば、金属板から形成した、図示した形状の固定部材２００を利用して、これら３枚の液晶パネル１０１（Ｒ）、１０１（Ｇ）、１０１（Ｂ）を、上記光合成プリズム１１９の３つの入射面１１９−１、１１９−２、１１９−３に対して固定する。なお、図からも明らかなように、この固定部材２００は、底面２０１と共に、その三辺の両端部から上方に向かって突出した一対の支持部２０２の、合成６本の支持部２０２により構成されている。そして、その製造過程においては、まず、図に矢印で示すように、上記光合成プリズム１１９を上記固定部材２００の底面２０１に固定し、その後、上記３枚の液晶パネル１０１（Ｒ）、１０１（Ｇ）、１０１（Ｂ）を、それぞれ、その対向するプリズム入射面に正確に対向して位置決めし（図中の矢印を参照）、そして、例えば、半田や接着剤によって支持部に固定する（なお、図中の破線は、これら３枚の液晶パネルが固定部材に固定された状態を示す）。
【００２８】
なお、図中の符号２０３は、上記３枚の液晶パネル１０１（Ｒ）、１０１（Ｇ）、１０１（Ｂ）の電極端子を形成する、所謂、フレキシブル配線板を示しており、また、その先端には、それぞれ、コネクタ２０４が取り付けられている。即ち、上記にようにして、固定部材２００により、その位置が正確に位置決めされた３枚の液晶パネル１０１（Ｒ）、１０１（Ｇ）、１０１（Ｂ）と光合成プリズム１１９は、その状態で、上記図２に示した冷媒容器（ケース）１０２内部の所定の位置に配置・固定される。その際、上記のコネクタ２０４を、上記冷媒容器（ケース）１０２の内部に取り付けられたコネクタ１０３に接続する。その後、この冷媒容器（ケース）１０２の内部には、上記フロリナートに代表されるフッ素系不活性液体からなる液体冷媒Ｃが充填され、その上面に蓋部１０２−２を取り付けて液封止する。なお、その後、上記の電動ポンプ１２９、放熱ユニット１３０、冷媒タンク１５０、そして、その一部にフィルタ１３５を含んで液冷サイクルを構成することは、上記と同様である。なお、添付の図４には、上述した液晶プロジェクタの上記冷媒容器（ケース）１０２を含む内部構成が、その縦断面により示されている。
【００２９】
上述したように、固定部材２００を利用して液晶パネル１０１（Ｒ）、１０１（Ｇ）、１０１（Ｂ）と光合成プリズム１１９との位置決めを行って冷媒容器（ケース）１０２内部に挿入して固定することによれば、上記の従来技術において説明したように、各液晶パネルに対する配管の際に力が加わることがなく、そのため、上記液晶パネルと光合成プリズムの取り付け位置の精度を高く保持できる。また、上記液晶パネルの電極部（フレキシブル配線板２０３やコネクタ２０４等）を冷媒容器（ケース）１０２内部に配置しても、その内部に充填されるフロリナートに代表されるフッ素系不活性液体からなる液体冷媒Ｃは、光透過性に優れ、かつ、不活性で発泡が少ないという特性と共に、更には、電気絶縁性をも兼ね備えていることから、上記の従来技術において説明したように、液体冷媒として水を主体として使用した場合のように、電極部の漏電や腐食による断線などが生じない。加えて、冷媒容器（ケース）１０２内部に充填されるフッ素系不活性液体からなる液体冷媒Ｃは、上記の電動ポンプ１２９、放熱ユニット１３０、冷媒タンク１５０、そして、フィルタ１３５を含む液冷サイクルにより循環され、上記放熱ユニット１３０により液晶パネルからの発熱を外部へ放出することから、水に比較して熱量に劣るフッ素系不活性液体を利用しても、十分な液晶パネルの冷却効果が得られる。
【００３０】
次に、添付の図５及び図６には、上述した冷媒容器（ケース）１０２の変形例を示している。即ち、この例では、これらの図からも明らかなように、上記冷媒容器（ケース）１０２の３つの光の入射面１０５、１０６、１０７を、上記第１、第２及び第３のコンデンサ・レンズ１１８、１２２、１２６と一体に形成して冷媒容器（ケース）１０２を構成した例を示している。
【００３１】
また、添付の図７には、上述した冷媒容器（ケース）１０２の他の変形例を示している。即ち、この例では、図からも明らかなように、上記図５及び図６に示したように３つの光の入射面１０５、１０６、１０７をコンデンサ・レンズ１１８、１２２、１２６と一体に形成すると共に、更に、上記光の出射面１０８を、光合成プリズム１１９の一面を利用して形成したものである。すなわち、上述したこれらの変形例になる構成によれば、上記図１〜４に示した実施の形態に比較し、光の入射面１０５、１０６、１０７での光の透過率の低下を、更には、出射面１０８での光の透過率の低下を抑制し、より良好な投射画像が得られる。
【図面の簡単な説明】
【００３２】
【図１】本発明の一実施の形態になる液晶プロジェクタの液冷サイクルを構成する要素を中心として取り出して示す、冷媒容器（ケース）の断面を含む説明図である。
【図２】上記液冷サイクルの、特に、冷媒容器（ケース）の詳細構造を示す斜視図である。
【図３】上記液冷サイクルの冷媒容器（ケース）内部に配置される３枚の液晶パネルと光合成プリズムの取り付け構造を示す斜視図である。
【図４】上記に示した冷媒容器（ケース）の縦断面図である。
【図５】上記に示した冷媒容器（ケース）の変形例を示す斜視図である。
【図６】上記冷媒容器（ケース）の変形例の横断面図である。
【図７】上記に示した冷媒容器（ケース）の他の変形例を示す横断面図である。
【図８】本発明の一実施の形態になる液晶パネルの液冷装置を備えた、液晶プロジェクタの全体構造の概略を示す図である。
【符号の説明】
【００３３】
１００  液晶プロジェクタの筐体
１０１（Ｒ）、１０１（Ｇ）、１０１（Ｂ）  液晶パネル
１０２  冷媒容器（ケース）
１０２−２  蓋部
１０３、２０４  コネクタ
１０４、２０３  フレキシブル配線板
１１８、１２２、１２６  コンデンサ・レンズ
１１９  光合成プリズム
１２９  電動ポンプ
１３０  ラジエータ
１５０  冷媒タンク
２００  固定部材
２０２  支持部
Ｃ  液体冷媒。
【図１】
2006106250.tif 000003
【図２】
2006106250.tif 000004
【図３】
2006106250.tif 000005
【図４】
2006106250.tif 000006
【図５】
2006106250.tif 000007
【図６】
2006106250.tif 000008
【図７】
2006106250.tif 000009
【図８】
2006106250.tif 000010